(57)【要約】      （修正有） 【課題】風や波の影響を受けて揺れる船上においても仕掛けが絡むことがなく、容易に餌の魚に対して２本の釣り針を取り付けることができるとともに、餌の魚を取り付けた状態で２本の釣り針の針先が垂直に上方を向き、さらに、餌の魚の前後逆向きにして釣り針の軸を中心に２本の釣り針の針先が軸対象として保持可能な釣り用仕掛けを提供する。【解決手段】少なくとも２つの側辺部２ｃを有する環状の針保持部２と、カンまたはアナを有し、軸４ａを中心に軸対象とされた状態で前記針保持部２に遊挿された２本の釣り針４とを備える。【選択図】図１
0003172352.tif 000002
【実用新案登録請求の範囲】
【請求項１】
少なくとも２つの側辺部を有する環状の針保持部と、
カンまたはアナを有し、軸を中心に軸対象とされた状態で前記針保持部に遊挿された２本の釣り針とを備えることを特徴とする釣り用仕掛け。
【請求項２】
前記針保持部は、ワイヤーの遊端部を結止するための環状部が設けられた上辺部と、
前記上辺部の両端部から延在する２つの前記側辺部と、
２つの前記側辺部を連結した下辺部とを備えることを特徴とする請求項１に記載の釣り用仕掛け。
【請求項３】
２つの前記側辺部が平行に形成されていることを特徴とする請求項１または請求項２に記載の釣り用仕掛け。
【請求項４】
前記針保持部がスナップサルカンであることを特徴とする請求項１乃至請求項３のいずれか１項に記載の釣り用仕掛け。
【請求項５】
前記スナップサルカンのサルカンにおけるスナップが連結されていない方の端部には、前記ワイヤーが結止され、
前記スナップサルカンを覆うように弾性材からなる絡み防止カバーが設けられていることを特徴とする請求項４に記載の釣り用仕掛け。
【請求項６】
前記絡み防止カバーが蛍光色とされることを特徴とする請求項５に記載の釣り用仕掛け。
【請求項７】
前記２本の釣り針の２本の軸を覆うように弾性材からなるソフトカバーが設けられていることを特徴とする請求項１乃至請求項６のいずれか１項に記載の釣り用仕掛け。
【請求項８】
前記ソフトカバーが蛍光色とされることを特徴とする請求項７に記載の釣り用仕掛け。
【考案の詳細な説明】
【技術分野】
【０００１】
本考案は、釣り用仕掛けに係り、特に、太刀魚を釣るのに好適な釣り用仕掛けに関する。
【背景技術】
【０００２】
一般に、太刀魚を釣るために用いる釣り用仕掛けは、例えば、図５に示すように、縒り戻しＡの連結環Ａ１に１本乃至３本のワイヤーＷ１〜Ｗ３を結止するとともに、当該ワイヤーＷ１〜Ｗ３の遊端部にそれぞれ釣り針Ｂ１〜Ｂ３を取り付けて形成されており、太刀魚釣りの餌として用いられるキビナゴなどの魚の頭部、中腹部および尾部とにそれぞれ当該釣り針Ｂ１〜Ｂ３を刺して用いるようにされる。
【０００３】
特に、釣り針が２本および３本の仕掛けを用いる場合には、仕掛けに餌の魚を付けた状態で水平となるように当該釣り針Ｂ１〜Ｂ３を餌の魚に取り付ける。特許文献１においては、釣り針を２本用いる場合に、餌の魚などが不自然に湾曲するのを防止するために、一方のワイヤーに餌の型くずれを防止するための形状保持針を備え、餌の魚の口から胴部にかけて串刺し状に挿通することにより餌の魚を水平に保持するようにした釣り用仕掛けについて記載されている。
【０００４】
またこの他に、図６に示すものにおいては、１本のワイヤーＷ４の遊端部に対して１本の釣り針Ｂ４を結止し、当該ワイヤーの遊端部から５０〜１５０ｍｍ程度の部分に遊動可能に釣り針Ｂ５を結止した仕掛けとされ、ワイヤーＷ４の遊端部側の釣り針Ｂ４を餌の魚の尾部に刺すとともに、遊動可能な釣り針Ｂ５を餌の魚のエラの位置に合わせてワイヤーＷ４上を移動させて、餌の魚のエラに刺して用いるようにされている。
【先行技術文献】
【特許文献】
【０００５】
【特許文献１】実用新案登録公報第２５０３１５８号
【考案の概要】
【考案が解決しようとする課題】
【０００６】
しかし、前述したような釣り用仕掛けにおいて、縒り戻しＡから複数本のワイヤーが結止されているものは、餌の魚などを水平に保持することができるものの、ワイヤー同士が絡みやすく、風や波の影響を受けて揺れる船上では扱いが困難であったり、釣れた太刀魚に対して釣り針が乱雑に突き刺さって魚を傷めてしまう可能性がある。
【０００７】
また、太刀魚は海中を上下に立ち泳ぎをしながら餌に食いつき、少しずつ食い込んでいくという習性があり、図６に示す釣り用仕掛けにおいては、餌の魚に仕掛けを取り付けた際に釣り針の針先の方向が餌の魚と平行とされているので、下方から垂直に食らいついてくる太刀魚に対して釣り針が掛かりにくいという問題を有している。
【０００８】
本考案はこれらの点に鑑みてなされたものであり、風や波の影響を受けて揺れる船上においても仕掛けが絡むことがなく、容易に餌の魚に対して２本の釣り針を取り付けることができるとともに、餌の魚を取り付けた状態で２本の釣り針の針先が垂直に上方を向き、さらに、餌の魚の前後逆向きにして釣り針の軸を中心に２本の釣り針の針先が軸対象として保持可能な釣り用仕掛けを提供することを目的とする。
【課題を解決するための手段】
【０００９】
上記目的を達成するために、本考案の第１の釣り用仕掛けは、少なくとも２つの側辺部を有する環状の針保持部と、カンまたはアナを有し、軸を中心に軸対象とされた状態で前記針保持部に遊挿された２本の釣り針とを備えることを特徴とする。さらに、釣り針の軸を中心に２本の釣り針の針先が軸対象として保持可能な釣り用仕掛けを提供することができる。
【００１０】
このような、本考案の第１の釣り用仕掛けとすることにより、餌としての魚に２本の釣り針を突き刺す際に、２本の釣り針の針先の方向を揃えて突き刺すことができる。
【００１１】
本考案の第２の釣り用仕掛けは、前記針保持部は、ワイヤーの遊端部を結止するための環状部が設けられた上辺部と、前記上辺部の両端部から延在する２つの前記側辺部と、２つの前記側辺部を連結した下辺部とを備えることを特徴とする。
【００１２】
このような、本考案の第２の釣り用仕掛けとすることにより、２本の釣り針の針先の方向を揃えて突き刺した後に、当該２本の釣り針を２つの側辺部から下辺部へ移動させることにより、２本の釣り針を餌の魚の前後方向に釣り針の軸を中心に針先が軸対象として一方を頭部側に突き刺し、他方を尻尾側へ突き刺すした状態で容易に餌の魚を取り付けることができる。このため、仕掛けに餌の魚を取り付けた状態で、針先が垂直に上向きとされた状態で保持され、下方から食らいついてくる太刀魚が餌の魚を食い込んで海底へ向きを転換した時に太刀魚の口内に突き刺さり、容易につり上げることを可能とする。
【００１３】
本考案の第３の釣り用仕掛けは、２つの前記側辺部が平行に形成されていることを特徴とする。
【００１４】
このような、本考案の第３の釣り用仕掛けとすることにより、餌の魚に対して２本の釣り針の針先の方向を揃えて同時に突き刺す際に、２本の釣り針の針先同士が交差することなく揃えて突き刺すことができるので、餌の魚を傷めることなく容易に餌の魚を取り付けることができる。
【００１５】
本考案の第４の釣り用仕掛けは、前記針保持部がスナップサルカンであることを特徴とする。
【００１６】
このような、本考案の第４の釣り用仕掛けとすることにより、容易に所望のサイズの釣り針と交換することができる。
【００１７】
本考案の第５の釣り用仕掛けは、前記スナップサルカンのサルカンにおけるスナップが連結されていない方の端部には、前記ワイヤーが結止され、前記スナップサルカンを覆うように弾性材からなる絡み防止カバーが設けられていることを特徴とする。
【００１８】
このような、本考案の第５の釣り用仕掛けとすることにより、風や波の影響を受けて手元が揺れる船上においても仕掛けにワイヤーが絡むことが無く、容易に餌の魚に釣り針を突き刺したり、釣れた太刀魚を釣り針から外したりすることができる。
【００１９】
本考案の第６の釣り用仕掛けは、前記絡み防止カバーが蛍光色とされることを特徴とする。
【００２０】
このような、本考案の第６の釣り用仕掛けとすることにより、仕掛けの絡みを防止することができると共に、絡み防止カバーの色によって集魚効果を得ることができる。
【００２１】
本考案の第７の釣り用仕掛けは、前記２本の釣り針の２本の軸を覆うように弾性材からなるソフトカバーが設けられていることを特徴とする。
【００２２】
このような、本考案の第７の釣り用仕掛けとすることにより、２本の釣り針の状態を、軸部分については常に近接した同軸状態に保持するとともに、針先については向きを１８０度逆向きにした状態に保持することができ、釣果を向上させることができる。
【００２３】
本考案の第８の釣り用仕掛けは、前記ソフトカバーが蛍光色とされることを特徴とする。
【００２４】
このような、本考案の第８の釣り用仕掛けとすることにより、ソフトカバーの色によって集魚効果を得ることができる。
【考案の効果】
【００２５】
本考案の釣り用仕掛けによれば、仕掛けが絡むことを防止して、風や波の影響を受けて揺れる船上においても容易に餌の魚に対して２本の釣り針を突き刺して餌の魚を取り付けることができる。
【００２６】
また、餌の魚を取り付けた状態で２本の釣り針の針先が垂直に上方を向き、さらに、餌の魚の前後逆向きにして釣り針の軸を中心に２本の釣り針の針先が軸対象として保持させることができるので、下方から垂直に食いついてくる太刀魚に対して釣り針の掛かりがよく、容易に太刀魚を釣り揚げることがきる。
【００２７】
またさらに、絡み防止カバーを蛍光色とすることによって、集魚効果を得ることができる。
【図面の簡単な説明】
【００２８】
【図１】本考案の釣り用仕掛けの第１実施形態を示す側面図
【図２】本考案の釣り用仕掛けに餌の魚を取り付ける取付方を示す概略斜視図
【図３】本考案の釣り用仕掛けの第２実施形態を示す側面図
【図４】本考案の釣り用仕掛けを用いた具体的な仕掛けを示す概略図
【図５】従来の釣り用仕掛けを示す概略図
【図６】従来の釣り用仕掛けを示す概略図
【考案を実施するための形態】
【００２９】
本考案の釣り用仕掛けの詳しい実施形態について図１乃至図４を用いて説明する。
【００３０】
本考案の釣り用仕掛け１の第１実施形態は、図１に示すように、上辺部２ａにワイヤーＷの遊端部を結止するための環状部３を有し、上辺部２ａの両端部から延在する１対の側辺部２ｂ、２ｃと、側辺部２ｂ、２ｃを連結する下辺部２ｄとを有する針金からなる環状の針保持部２と、カンまたはアナを有し、軸４ａを中心に軸対象とした状態で針保持部２にカンまたはアナを遊挿させて係止された２本の釣り針４，４とを備えている。
【００３１】
なお、針保持部２は、少なくとも２つの側辺部２ｂ、２ｃを備えた環状とされていればよく、四角形以外にも、楕円形、三角形、逆三角形、多角形など様々な形状とすることができる。
【００３２】
このような、本考案の釣り用仕掛け１を用いて太刀魚釣りを行う場合には、まず、図２（ａ）に示すように、２本の釣り針４，４を側辺部２ｂ、２ｃにそれぞれ１本ずつ位置するように移動させる。このとき、釣り針４，４の針先が同方向となっていることが必要である。次に、図２（ｂ）に示すように、同方向を向いている釣り針４，４を２本同時に餌の魚の背側から腹側へと垂直に突き刺し、釣り針４，４の湾曲部まで突き刺したら、釣り針４，４の針先の向きを１８０度反転させて、図２（ｃ）に示すように、軸４ａ部分に餌の魚が串刺し状とされるようにする。最後に、餌の魚の前後向きに釣り針４，４の針先が軸４ａを中心に軸対象となるように側辺部２ｂ、２ｃ上を移動させると共に、釣り針４，４の一方を餌の魚の頭部側の好ましくはエラ部分に突き刺し、他方を尻尾側の腹に突き刺し、釣り針４，４の湾曲部が全て餌の魚に隠れるように釣り針４，４を引き上げ取り付ける。
【００３３】
このような、本考案の釣り用仕掛け１とすることにより、餌の魚に２本の釣り針４，４を取り付ける場合には、２本の針先を同方向へ向けた状態で突き刺し、軸４ａまで突き刺した後、２本の釣り針４，４を軸対象として頭部側と尻尾側とにそれぞれ突き刺すようにされているので、容易に餌の魚を仕掛けに取り付けることができる。
【００３４】
また、餌の魚に釣り針４，４を取り付けた状態において、釣り針４，４の針先が垂直に上向きに保持されているとともに２本の釣り針４，４の針先が餌の魚の前後向きに軸対象に設けられているので、餌の魚の下方から食いついてくる太刀魚が餌の魚を食い込んで海底へと降下する時または海底へと向きを転換した時に太刀魚の口内に突き刺さりやすくなり、容易に太刀魚を釣り上げることができる。
【００３５】
また、側辺部２ｂと側辺部２ｃとを平行に形成することにより、２本の釣り針４，４がそれぞれ側辺部２ｂ、２ｃに位置している場合に２本の釣り針４，４が平行となり餌としての餌の魚に対して２本の釣り針４，４を同時に突き刺しやすくすることができる。
【００３６】
また、本考案の第２実施形態について説明する。
【００３７】
本考案の釣り用仕掛け１の第２実施形態は、図３に示すように、針保持部２としてのスナップ５と環状部３としてのサルカン６を用いることを特徴としている。
【００３８】
詳しく説明すると、スナップ５の針金の開放可能端５ａから釣り針４，４のカンまたはアナに遊挿し、スナップ５を閉じることにより釣り針４，４を係止して取付け、釣り針４，４をスナップ５内に保持するようにされている。また、スナップ５の開放不可能片端５ｂには、サルカン６の一方の環部６ａが連結され、サルカン６の他方の環部６ｂには、ワイヤーＷが結止されている。
【００３９】
このような、本考案の釣り用仕掛け１の第２実施形態とすることにより、餌としての魚の大きさに合わせて好みのサイズの釣り針４，４に容易に取り替えて用いることができる。
【００４０】
また、本考案の釣り用仕掛け１には、少なくともスナップ５を覆うように弾性材からなる絡み防止カバー７を設けることが好ましい。このような、絡み防止カバー７を設けることにより、スナップ５の開放可能端５ａからワイヤーＷがスナップ５内に入り込み、ワイヤーＷが絡むことを防止することができる。更に、図３の破線に示すように、２本の釣り針４，４の針元に対しても前記絡み防止カバー７と同様の弾性材からなるソフトカバー８を設けることが好ましい。このような、ソフトカバー８を設けることにより、２本の釣り針４，４の状態を、軸４ａ部分については常に近接した同軸状態に保持するとともに、針先については向きを１８０度逆向きにした状態に保持することができ、釣果を向上させることができる。
【００４１】
さらに、絡み防止カバー７やソフトカバー８は蛍光色とされることが好ましい。これらのカバー７，８を蛍光色とすることにより、魚へのアピール力が高まり集魚効果を得ることができる。
【００４２】
＜実施例＞
本考案の釣り用仕掛け１を用いて実際に太刀魚を釣りを行う場合の、具体的な仕掛け全体の構成について説明する。
【００４３】
本考案の釣り用仕掛け１を用いた具体的な仕掛け全体の構成は、図４に示すように、ポリエチレンラインなどの道糸Ｌの遊端部にサルカンＹ１を結止し、サルカンＹ１の他方の環部に以降の仕掛けが切れてしまうのを防止するための５０〜１００ｃｍ程度の＃３８〜＃４２のワイヤーからなるワイヤー道糸Ｗｍを結止する。ワイヤー道糸Ｗｍの遊端部には、２５〜３５ｃｍの天秤を結止し、当該天秤の略中央部には、錘となる８〜１５ｇの蛍光鉛を設け、当該天秤の他方の端部にはスナップＳを設けておく。
【００４４】
本発明の釣り用仕掛け１のサルカン６の他方の環部６ｂには５０〜１００ｃｍ程度の＃４４〜＃４２のワイヤーＷを結止し、サルカン６の他方の環部６ａにワイヤーＷが結止されている部分を覆うように、弾性材からなる蛍光色のチューブＣで被服しておく。ワイヤーＷの遊端部には、サルカンＹ２を結止しておく。最後に、天秤の他方の端部に設けられたスナップＳに、ワイヤーＷの遊端部に結止されたサルカンＹ２を係止して接続する。  このような、仕掛けに対して、上記方法により、本考案の釣り用仕掛け１の釣り針４，４部分に餌としての魚などを取り付けて太刀魚釣りを行う。
【００４５】
なお、本考案は、上記の実施形態に限定されるものではなく、本考案の特徴を損なわない範囲において種々の変更が可能である。
【符号の説明】
【００４６】
１  釣り用仕掛け
２  針保持部
２ａ  上辺部
２ｂ  側辺部
２ｃ  側辺部
２ｄ  底辺部
３  環状部
４  釣り針
４ａ  軸
５  スナップ
５ａ  開放可能端
５ｂ  開放不可能端
６  サルカン
６ａ  一方の環部
６ｂ  他方の環部
７  絡み防止カバー
Ｌ  道糸
Ｙ１、Ｙ２  サルカン
ワイヤー道糸  Ｗｍ
Ｓ  スナップ
Ｃ  蛍光チューブ
Ｗ  ワイヤー
Ａ  縒り戻し
Ａ１  連結環
Ｗ１，Ｗ２，Ｗ３，Ｗ４  ワーヤー
Ｂ１，Ｂ２，Ｂ３，Ｂ４，Ｂ５  釣り針
【図１】
0003172352.tif 000003
【図２】
0003172352.tif 000004
【図３】
0003172352.tif 000005
【図４】
0003172352.tif 000006
【図５】
0003172352.tif 000007
【図６】
0003172352.tif 000008